(57)【要約】      （修正有）【課題】装飾部材の動きが左右の動きが中心となって、前向きに取り付けた宝石等が前方からよくきらめいて見え、かつ均一な品質の装身具を提供する。【解決手段】所定の間隔で前後に一対のピボット状の支軸１３が形成された揺動アーム部材１２と、当該揺動アーム部材１２の一対のピボット状の支軸間１３に差渡されて揺動可能に保持された装飾部材１４とを備え、前記装飾部材１４は、筒状内部の上部に前記一対のピボット状の支軸１３に対応する山型の軸受凹部１５を形成されており、前記装飾部材１４に形成された山型の軸受凹部１５に、前記揺動アーム部材１２のピボット状の支軸１３が係合することにより、装飾部材１４を揺動アーム部材１２に揺動自在に取り付けたことを特徴とする装身具。【選択図】図８
2020062230.tif 000002
【特許請求の範囲】
【請求項１】
所定の間隔で前後に一対のピボット状の支軸が形成された揺動アーム部材と、当該揺動アーム部材の一対のピボット状の支軸間に差渡されて揺動可能に保持された装飾部材とを備え、
前記装飾部材は、筒状内部の上部に前記一対のピボット状の支軸に対応する山型の軸受凹部を形成されており、
前記装飾部材に形成された山型の軸受凹部に、前記揺動アーム部材のピボット状の支軸が係合することにより、装飾部材を揺動アーム部材に揺動自在に取り付けたことを特徴とする装身具。
【請求項２】
前記装飾部材は、前後において筒状本体と後部の蓋部とに分割可能に形成されており、筒状本体と蓋部のそれぞれに山型の軸受凹部が形成されていることを特徴とする請求項１に記載の装身具。
【請求項３】
前記一対のピボット状の支軸が形成された揺動アーム部材は、該揺動アーム部材を上方に延長させて前記装飾部材の上面から突出し、適宜装身具用枠体に配設されていることを特徴とする請求項１または２に記載の装身具。
【請求項４】
前記一対のピボット状の支軸が形成された揺動アーム部材は、該揺動アーム部材を後方に延長させて前記装飾部材の後部から突出し、適宜装身具用枠体に配設されていることを特徴とする請求項１または２に記載の装身具。
【請求項５】
前記前後において筒状本体と後部の蓋部とに分割可能に形成された装飾部材は、筒状本体と蓋部のそれぞれに互いに係合する凹部と凸部とが形成されており、この凹部と凸部とを係合させて正確に位置決めすることを可能としたことを特徴とする請求項１ないし４のいずれかに記載の装身具。
【請求項６】
前記装飾部材の筒状本体に形成された山型の軸受凹部が、その内壁上部が内向きになるよう傾斜して形成されていることを特徴とする請求項１ないし５のいずれかに記載の装身具。
【発明の詳細な説明】
【技術分野】
【０００１】
本発明は、宝石を揺動可能としたペンダントやブローチ、指輪、ブレスレット等の装身具に関する。
【背景技術】
【０００２】
近年、着用時にダイヤモンド等の宝石をそのテーブル面が正面を向いた状態で、着用者の動きに応じて宝石が揺動するように支持する構造の身飾品が種々提案されている。
そのような先行技術としては、特開２０１３−２２６４６２号公報（特許文献１参照）のような身飾品が知られており、該身飾品における枠組部材と装飾物とを係合する係合部は、前記装飾物の中心に対して上下方向と直交する左右方向の左側に設けられ第１のリング部と、前記装飾物の中心に対して右側に設けられ第２のリング部と、前記枠組部材の前記第１のリング部の側に設けられ、前記第１のリング部とつながれた第３のリング部と、前記枠組部材の前記第２のリング部の側に設けられ、前記第２のリング部とつながれた第４のリング部とを有する。
しかしながら、前記身飾品においては連結した一対のリングどうしで装飾物を保持しているために、動きにぎこちなさがあったり、均一な品質の身飾品を得にくいという問題があった。
【０００３】
そこで本発明者は先に、特許第５９７６２４８号公報（特許文献２参照）において、所定の間隔で一対の軸受凹部を配置した装身具用枠体と、当該装身具用枠体に一体的に保持された装飾部材とを備え、他方、延長端部に上向きにピボット状の支軸が形成された揺動アーム部を両側に突設した吊下げ部材を用意し、前記装身具用枠体に配置された軸受凹部に、前記揺動アーム部のピボット状の支軸が係合することにより、装飾部材を備えた装身具用枠体を吊下げ部材に揺動自在に取り付けたことを特徴とする装身具を提供した。
【先行技術文献】
【特許文献】
【０００４】
【特許文献１】特開２０１３−２２６４６２号公報
【特許文献２】特許第５９７６２４８号公報
【発明の概要】
【発明が解決しようとする課題】
【０００５】
しかしながら、前記装身具においては単一のピボット状の支軸で装飾物を保持しているために、前後に動くため、充分なきらめきを得にくく、また均一な品質の身飾品を得にくいという問題があった。
本発明は、上記不具合を解消すべく発明されたものであり、装飾部材の動きが左右の動きが中心となって、前向きに取り付けた宝石等が前方からよくきらめいて見え、かつ均一な品質の装身具を得ようとするものである。
【課題を解決するための手段】
【０００６】
すなわち本発明の装身具は、所定の間隔で前後に一対のピボット状の支軸が形成された揺動アーム部材と、当該揺動アーム部材の一対のピボット状の支軸間に差渡されて揺動可能に保持された装飾部材とを備え、
前記装飾部材は、筒状内部の上部に前記一対のピボット状の支軸に対応する山型の軸受凹部を形成されており、
前記装飾部材に形成された山型の軸受凹部に、前記揺動アーム部材のピボット状の支軸が係合することにより、装飾部材を揺動アーム部材に揺動自在に取り付けたことを特徴とするものである。
【０００７】
本発明の装身具において、前記装飾部材は、前後において筒状本体と後部の蓋部とに分割可能に形成されており、筒状本体と蓋部のそれぞれに山型の軸受凹部が形成されていることをも特徴とするものである。
【０００８】
本発明の装身具において、前記一対のピボット状の支軸が形成された揺動アーム部材は、該揺動アーム部材を上方に延長させて前記装飾部材の上面から突出し、適宜装身具用枠体に配設されていることをも特徴とするものである。
【０００９】
本発明の装身具において、前記一対のピボット状の支軸が形成された揺動アーム部材は、該揺動アーム部材を後方に延長させて前記装飾部材の後部から突出し、適宜装身具用枠体に配設されていることをも特徴とするものである。
【００１０】
本発明の装身具において、前記前後において筒状本体と後部の蓋部とに分割可能に形成された装飾部材は、筒状本体と蓋部のそれぞれに互いに係合する凹部と凸部とが形成されており、この凹部と凸部とを係合させて正確に位置決めすることを可能としたことをも特徴とするものである。
【００１１】
本発明の装身具において、前記装飾部材の筒状本体に形成された山型の軸受凹部が、その内壁上部が内向きになるよう傾斜して形成されていることをも特徴とするものである。
【発明の効果】
【００１２】
以上説明したように本発明に係る装飾部材を揺動可能に取り付けてなる装身具は、所定の間隔で前後に一対のピボット状の支軸が形成された揺動アーム部材と、当該揺動アーム部材の一対のピボット状の支軸間に差渡されて揺動可能に保持された装飾部材とを備え、前記装飾部材は、筒状内部の上部に前記一対のピボット状の支軸に対応する山型の軸受凹部を形成されており、前記装飾部材に形成された山型の軸受凹部に、前記揺動アーム部材のピボット状の支軸が係合することにより、装飾部材を揺動アーム部材に揺動自在に取り付けたものである。
そうすることによって、装飾部材の動きが左右の動きが中心となって、前向きに取り付けた宝石等が前方からよくきらめいて見え、かつ均一な品質の装身具を提供することができるようになった。
【００１３】
また、本発明に係る装飾部材を揺動可能に取り付けてなる装身具は、所定の間隔で前後に一対のピボッド状の支軸が形成された揺動アーム部材を用いることによって前記装飾部材の動きが正面から見て左右の動きが中心となるので、揺動中には装飾部材の正面部分のみが揺動しているようにみえることになる。すなわち、例えば装飾部材の正面部分に装飾部材本体と同等または大きいダイヤモンド等の宝石を配した場合は、当該宝石を保持した装飾部材本体が揺動したとしても、装飾部材の正面部分に保持された宝石のみが揺動してみえるようにすることもできるのである。
さらに、本発明に係る装飾部材を揺動可能に取り付けてなる装身具は、所定の間隔で前後に一対のピボッド状の支軸が形成された揺動アーム部材を後方に延長させて前記装飾部材の後方から突出して適宜装身具用枠体に配設させることによって、前記揺動アーム部材を装身具の正面に表れないようにしたので、あたかも装飾部材が中空に浮遊しているかのように演出することもできるようになったのである。
【図面の簡単な説明】
【００１４】
【図１】本発明の装身具の第１実施例を示すものであり、（ａ）は装飾部材を構成する筒状本体の概略側面図、（ｂ）はその概略断面図、（ｃ）はその概略背面図、（ｄ）はその概略平面図である。
【図２】（ａ）はその概略斜視図、（ｂ）はその概略透視斜視図、（ｃ）はその概略斜視断面図である。
【図３】（ａ）は装飾部材を構成する蓋部の概略側面図、（ｂ）はその概略断面図、（ｃ）はその概略背面図、（ｄ）はその概略平面図である。
【図４】（ａ）はその概略透視斜視図、（ｂ）はその概略斜視断面図である。
【図５】（ａ）は上方に延長した揺動アーム部材の概略正面図、（ｂ）はその概略側面断面図、（ｃ）はその概略平面図、（ｄ）はその概略側面図である。
【図６】（ａ）はその概略斜視図、（ｂ）はその概略斜視断面図である。
【図７】（ａ）は前記第１実施例の組立前の段階の概略断面図、（ｂ）は組立てた状態の概略断面図である。
【図８】（ａ）は前記第１実施例の組立前の段階の概略斜視図、（ｂ）は組立てた状態の概略斜視図である。
【図９】（ａ）は前記第１実施例の組立前の段階の概略斜視断面図、（ｂ）は組立てた状態の概略斜視断面図である。
【図１０】（ａ）は前記第１実施例の組立てた状態の概略透視図、（ｂ）は揺動している状態の概略透視図である。
【図１１】本発明の装身具の第２実施例を示すものであり、（ａ）は装飾部材を構成する筒状本体の概略側面図、（ｂ）はその概略断面図、（ｃ）はその概略背面図、（ｄ）はその概略平面図である。
【図１２】（ａ）はその概略斜視図、（ｂ）はその概略透視斜視図、（ｃ）はその概略斜視断面図である。
【図１３】（ａ）は装飾部材を構成する蓋部の概略側面図、（ｂ）はその概略断面図、（ｃ）はその概略背面図、（ｄ）はその概略平面図である。
【図１４】（ａ）はその概略斜視図、（ｂ）はその概略斜視断面図である。
【図１５】（ａ）は水平方向に延長した揺動アーム部材の概略正面図、（ｂ）はその概略側面断面図、（ｃ）はその概略平面図、（ｄ）はその概略側面図である。
【図１６】（ａ）はその概略斜視図、（ｂ）はその概略斜視断面図である。
【図１７】（ａ）は前記第２実施例の組立前の段階の概略断面図、（ｂ）は組立てた状態の概略断面図である。
【図１８】（ａ）は前記第２実施例の組立前の段階の概略斜視図、（ｂ）は組立てた状態の概略斜視図である。
【図１９】（ａ）は前記第２実施例の組立前の段階の概略斜視断面図、（ｂ）は組立てた状態の概略斜視断面図である。
【図２０】（ａ）は前記第２実施例の組立てた状態の概略透視図、（ｂ）は揺動している状態の概略透視図である。
【図２１】前記揺動アーム部材をペンダント等を構成する装身具用枠体に取り付けた状態を示す概略断面図である。
【図２２】前記揺動アーム部材をピアス等に連結するための丸環に取り付けた状態を示す概略断面図である。
【図２３】本発明の装身具の第３実施例を示すものであり、（ａ）は装飾部材を構成する筒状本体の概略側面図、（ｂ）はその概略断面図、（ｃ）はその概略背面図、（ｄ）はその概略平面図である。
【図２４】（ａ）はその概略斜視図、（ｂ）はその概略透視斜視図、（ｃ）はその概略斜視断面図である。
【図２５】（ａ）は装飾部材を構成する蓋部の概略側面図、（ｂ）はその概略断面図、（ｃ）はその概略背面図、（ｄ）はその概略平面図である。
【図２６】（ａ）はその概略斜視図、（ｂ）はその概略斜視断面図である。
【図２７】（ａ）は前記第３実施例において第１実施例の揺動アーム部材を適用した組立前の段階の概略断面図、（ｂ）は組立てた状態の概略断面図である。
【図２８】（ａ）は前記第３実施例において第２実施例の揺動アーム部材を適用した組立前の段階の概略断面図、（ｂ）は組立てた状態の概略断面図である。
【図２９】本発明の装身具の第４実施例を示すものであり、（ａ）は装飾部材を構成する筒状本体の概略側面図、（ｂ）はその概略断面図、（ｃ）はその概略背面図、（ｄ）はその概略平面図である。
【図３０】（ａ）はその概略斜視図、（ｂ）はその概略透視斜視図、（ｃ）はその概略斜視断面図である。
【図３１】（ａ）は装飾部材を構成する蓋部の概略側面図、（ｂ）はその概略断面図、（ｃ）はその概略背面図、（ｄ）はその概略平面図である。
【図３２】（ａ）はその概略斜視図、（ｂ）はその概略斜視断面図である。
【図３３】（ａ）は前記水平方向に延長した揺動アーム部材を適用した組立前の段階の概略断面図、（ｂ）は組立てた状態の概略断面図である。
【図３４】（ａ）は前記第４実施例の組立前の段階の概略斜視図、（ｂ）は組立てた状態の概略斜視図である。
【図３５】（ａ）は前記第４実施例の組立前の段階の概略斜視断面図、（ｂ）は組立てた状態の概略斜視断面図である。
【図３６】（ａ）は前記第４実施例の組立てた状態の概略透視図、（ｂ）は揺動している状態の概略透視図である。
【図３７】（ａ）は前記揺動アーム部材を構成する一対のピボット状の支軸の概略側面図、（ｂ）はその概略正面図、（ｃ）はその概略平面図、（ｄ）はその概略斜視図である。
【図３８】（ａ）は前記一対のピボット状の支軸に上方に向かう揺動アーム部材を取り付けた状態の概略側面図、（ｂ）は前記一対のピボット状の支軸に水平に伸びる揺動アーム部材を取り付けた状態の概略側面図である。
【発明を実施するための形態】
【００１５】
以下、本発明に係る装身具の実施の形態を図面に基いて詳細に説明する。
図１ないし図１０に示すように、第１実施例の装身具１１は、所定の間隔で前後に一対のピボット状の支軸１３，１３が形成された揺動アーム部材１２と、当該揺動アーム部材１２の一対のピボット状の支軸１３，１３間に差渡されて揺動可能に保持された装飾部材１４とを備え、前記装飾部材１４は、筒状内部の上部に前記一対のピボット状の支軸１３，１３に対応する山型の軸受凹部１５を形成されており、前記装飾部材１４に形成された山型の軸受凹部１５に、前記揺動アーム部材１２のピボット状の支軸１３，１３が係合することにより、装飾部材１４を揺動アーム部材１２に揺動自在に取り付けたものである。
【００１６】
より詳細に説明すると、前記装飾部材１４は前後において筒状本体２１と後部の蓋部２２とに分割可能に形成されており、筒状本体２１と蓋部２２のそれぞれに前記山型の軸受凹部１５が形成されている。
図１および図２に示すように、前記筒状本体２１には前方端部に宝石類（図示せず）を係止するための爪２１ａが設けられており、前記筒状本体２１前部の凹所２１ｂにダイヤ等の宝石をはめ込んで前記爪２１ａを宝石側に倒すことにより、前記宝石を確実に保持することができるようになっている。
【００１７】
前記凹所２１ｂの反対側の前記筒状本体２１内部には、山型の軸受凹部１５が後方に突き出すように形成されており、前記一対のピボット状の支軸１３の片方が係合される。なお、前記山型の軸受凹部１５の頂点部分は鋭角でなく、Ｒ状にしておくことが望ましい。
図において２１ｃは前記凹所２１ｂのほぼ中央に設けた貫通孔、２１ｄは前記蓋部２２に設けた後述する係合突起２２ａをはめ込むための係合凹部、２１ｅは前記筒状本体２１の後端上部に設けた切欠きである。
【００１８】
次に前記蓋部２２は、図３および図４に示すように、その前面から山型の軸受凹部１５が前方に突き出すように形成されており、前記一対のピボット状の支軸１３のもう片方が係合される。
図において２２ａは、前記筒状本体２１の係合凹部２１ｄにはめ込む係合突起、２２ｂは前記筒状本体２１の後端上部に設けた切欠き２１ｅにはめ込むための係合部である。
【００１９】
図５および図６は、前記一対のピボット状の支軸１３，１３がやや外傾させて形成された揺動アーム部材１２を示すものであり、該揺動アーム部材１２を上方に延長させて前記装飾部材１４の前記筒状本体２１の後端上部に設けた切欠き２１ｅから上方に突出させてある。その上で該揺動アーム部材１２は適宜装身具用枠体に配設されて使用される。このような装身具用枠体の例としては、ブローチやペンダント、指輪、イヤリング等に使用される装身具用枠体が挙げられる。
【００２０】
図７ないし図９は、それぞれ前記第１実施例の前記揺動アーム部材１２を前記装飾部材１４を構成する筒状本体２１と蓋部２２とに組立てる状態を示すものである。
すなわち、前記筒状本体２１と蓋部２２との間に前記揺動アーム部材１２を介在させた状態で前記筒状本体２１と蓋部２２とを結合するのである。その際、前記揺動アーム部材１２の延長部分は、前記筒状本体２１の後端上部に設けた切欠き２１ｅから上方に突出した状態で保持されている。その上で前記揺動アーム部材１２の延長部分は前述のような装身具用枠体に連結され、装身具を構成するのである。
【００２１】
このような組立構造の装身具１１は、図１０（ａ）のように前記揺動アーム部材１２の一対のピボット状の支軸１３，１３が、前記装飾部材１４を構成する筒状本体２１と蓋部２２に設けた山型の軸受凹部１５の頂部に係合し、図１０（ｂ）のように装飾部材１４の動きが左右の動きが中心となるため、前向きに取り付けた宝石等が前方からよくきらめいて見え、かつ均一な品質の装身具１１を提供することができるのである。
【００２２】
図１１ないし図２２に示すように、第２実施例の装身具３１は、所定の間隔で前後に一対のピボット状の支軸３３，３３が形成された揺動アーム部材３２と、当該揺動アーム部材３２の一対のピボット状の支軸３３，３３間に差渡されて揺動可能に保持された装飾部材３４とを備え、前記装飾部材３４は、筒状内部の上部に前記一対のピボット状の支軸３３，３３に対応する山型の軸受凹部３５を形成されており、前記装飾部材３４に形成された山型の軸受凹部３５に、前記揺動アーム部材３２のピボット状の支軸３３，３３が係合することにより、装飾部材３４を揺動アーム部材３２に揺動自在に取り付けたものである。
【００２３】
より詳細に説明すると、前記装飾部材３４は前後において筒状本体４１と後部の蓋部４２とに分割可能に形成されており、筒状本体４１と蓋部４２のそれぞれに前記山型の軸受凹部３５が形成されている。
図１１および図１２に示すように、前記筒状本体４１には前方端部に宝石類（図示せず）を係止するための爪４１ａが設けられており、前記筒状本体４１前部の凹所４１ｂにダイヤ等の宝石をはめ込んで前記爪４１ａを宝石側に倒すことにより、前記宝石を確実に保持することができるようになっている。
【００２４】
前記凹所４１ｂの反対側の前記筒状本体４１内部には、山型の軸受凹部３５が後方に突き出すように形成されており、前記一対のピボット状の支軸３３の片方が係合される。
図において４１ｃは前記凹所４１ｂのほぼ中央に設けた貫通孔、４１ｄは前記蓋部４２に設けた後述する係合突起４２ａをはめ込むための係合凹部である。
【００２５】
次に前記蓋部４２は、図１３および図１４に示すように、その前面から山型の軸受凹部３５が前方に突き出すように形成されており、前記一対のピボット状の支軸３３のもう片方が係合される。
図において４２ａは、前記筒状本体４１の係合凹部４１ｄにはめ込む係合突起、４２ｂは前記蓋部４２の下部に形成した円弧状の揺動孔である。
【００２６】
図１５および図１６は、前記一対のピボット状の支軸３３，３３がやや外傾させて形成された揺動アーム部材３２を示すものであり、該揺動アーム部材３２を水平に延長させて前記装飾部材３４の前記蓋部４２の下部に形成した円弧状の揺動孔４２ｂから後方に突出させてある。その上で該揺動アーム部材１２は適宜装身具用枠体に配設されて使用される。このような装身具用枠体の例としては、ブローチやペンダント、指輪、イヤリング等に使用される装身具用枠体が挙げられる。
【００２７】
図１７ないし図１９は、それぞれ前記第２実施例の前記揺動アーム部材３２を前記装飾部材３４を構成する筒状本体４１と蓋部４２とに組立てる状態を示すものである。
すなわち、前記揺動アーム部材３２を前記装飾部材３４の前記蓋部４２の下部に形成した円弧状の揺動孔４２ｂから後方に突出させた上、前記筒状本体４１と蓋部４２との間に前記揺動アーム部材３２を介在させた状態で前記筒状本体４１と蓋部４２とを結合するのである。その際、前記揺動アーム部材３２の延長部分は、前記蓋部４２の下部に形成した円弧状の揺動孔４２ｂから側方に突出した状態で保持されている。その上で前記揺動アーム部材３２の延長部分は前述のような装身具用枠体に連結され、装身具を構成するのである。
【００２８】
このような組立構造の装身具３１は、図２０（ａ）のように前記揺動アーム部材３２の一対のピボット状の支軸３３，３３が、前記装飾部材３４を構成する筒状本体４１と蓋部４２に設けた山型の軸受凹部３５の頂部に係合し、図２０（ｂ）のように装飾部材３４の動きが左右の動きが中心となるため、前向きに取り付けた宝石等が前方からよくきらめいて見え、かつ均一な品質の装身具３１を提供することができるのである。
【００２９】
図２１はこの第２実施例の装身具３１を上部に丸環４５を取り付けた筒状の装身具用枠体４３に取り付けたものであり、前記蓋部４２の下部に形成した円弧状の揺動孔４２ｂから後方に突出させた前記揺動アーム部材３２の延長部分を前記装身具用枠体４３の奥壁４３ａに取り付けたものである。
なお、この奥壁４３ａは合成樹脂や強化ガラス等からなる色付きの透明カラープレートとすることができ、宝石等が前方からよくきらめいて見えるようになるのである。もちろん、金属板を使用しても良く、前記揺動アーム部材３２の延長部分と奥壁４３ａとの接合には、ロー付けやカシメ、レーザ溶接による接合等を使用することができる。
また、前記筒状の装身具用枠体４３の前側の端部には適宜小粒の宝石類４４が取り付けておくことができる。
【００３０】
図２２はこの第２実施例の装身具３１を、前記蓋部４２の下部に形成した円弧状の揺動孔４２ｂから後方に突出させた前記揺動アーム部材３２の延長部分をコ字状に屈曲させ、上端に丸環４５を取り付けたものである。
このようにすれば、第２実施例の装身具３１をブローチやイヤリング等の装身用下げ飾りとして極めて有用である。
【００３１】
図２３ないし図２８に示すように、第３実施例の装身具５１は、所定の間隔で前後に一対のピボット状の支軸５３，５３が形成された揺動アーム部材５２と、当該揺動アーム部材５２の一対のピボット状の支軸５３，５３間に差渡されて揺動可能に保持された装飾部材５４とを備え、前記装飾部材５４は、筒状内部の上部に前記一対のピボット状の支軸５３，５３に対応する山型の軸受凹部５５を形成されており、前記装飾部材５４に形成された山型の軸受凹部５５に、前記揺動アーム部材５２のピボット状の支軸５３，５３が係合することにより、装飾部材５４を揺動アーム部材５２に揺動自在に取り付けたものである。
【００３２】
より詳細に説明すると、前記装飾部材５４は前後において筒状本体６１と後部の蓋部６２とに分割可能に形成されており、筒状本体６１と蓋部６２のそれぞれに前記山型の軸受凹部５５が形成されている。
図２３および図２４に示すように、前記筒状本体６１には前方端部に宝石類（図示せず）を係止するための爪６１ａが設けられており、前記筒状本体６１前部の凹所６１ｂにダイヤ等の宝石をはめ込んで前記爪６１ａを宝石側に倒すことにより、前記宝石を確実に保持することができるようになっている。
【００３３】
前記凹所６１ｂの反対側の前記筒状本体６１内部には、山型の軸受凹部５５が後方に突き出すように形成されており、前記一対のピボット状の支軸５３の片方が係合される。
図において６１ｃは前記凹所６１ｂのほぼ中央に設けた貫通孔、６１ｄは係合突起で、前記蓋部６２の下部に設けた後述する係合凹部６２ａにはめ込むためのものである。
また６１ｅは前記蓋部６２に設けた係合突部６２ｃをはめ込むための切欠きで、前記揺動アーム部材５２の上方への延長部分を挿通させることができる。
【００３４】
次に前記蓋部６２は、図２５および図２６に示すように、その前面から山型の軸受凹部５５が前方に突き出すように形成されており、前記一対のピボット状の支軸５３のもう片方が係合される。
図において６２ａは、前記筒状本体６１の係合突起６１ｄをはめ込む係合凹部、６２ｂは前記蓋部６２の下部に形成した円弧状の揺動孔である。
【００３５】
図２７、図２８は、それぞれ前記第３実施例の前記揺動アーム部材５２を前記装飾部材５４を構成する筒状本体６１と蓋部６２とに組立てる状態を示すものである。
すなわち図２７においては、図２７（ａ）のように前記筒状本体６１と蓋部６２との間に前記揺動アーム部材５２を介在させた状態で、図２７（ｂ）のように前記筒状本体６１と蓋部６２とを結合するのである。その際、前記揺動アーム部材５２の延長部分は、前記筒状本体６１の後端上部に設けた切欠き６１ｅから上方に突出した状態で保持されている。その上で前記揺動アーム部材５２の延長部分は前述のような装身具用枠体に連結され、装身具を構成するのである。
【００３６】
他方、図２８においては、図２８（ａ）のように前記揺動アーム部材５２を前記装飾部材５４の前記蓋部６２の下部に形成した円弧状の揺動孔６２ｂから後方に突出させた上、前記筒状本体６１と蓋部６２との間に前記揺動アーム部材５２を介在させた状態で、図２８（ｂ）のように前記筒状本体６１と蓋部６２とを結合するのである。その際、前記揺動アーム部材５２の延長部分は、前記蓋部６２の下部に形成した円弧状の揺動孔６２ｂから後方に突出した状態で保持されている。その上で前記揺動アーム部材５２の延長部分は前述のような装身具用枠体に連結され、装身具を構成するのである。
以上のように、第３実施例の装身具５１においては、前記揺動アーム部材５２の延長部分が上方あるいは後方のいずれに延長される場合にも対応することができるのである。
【００３７】
図２９ないし図３０に示すように、第４実施例の装身具７１は、所定の間隔で前後に一対のピボット状の支軸７３，７３が形成された揺動アーム部材７２と、当該揺動アーム部材７２の一対のピボット状の支軸７３，７３間に差渡されて揺動可能に保持された装飾部材７４とを備え、前記装飾部材７４は、筒状内部の上部に前記一対のピボット状の支軸７３，７３に対応する山型の軸受凹部７５を形成されており、前記装飾部材７４に形成された山型の軸受凹部７５に、前記揺動アーム部材７２のピボット状の支軸７３，７３が係合することにより、装飾部材７４を揺動アーム部材７２に揺動自在に取り付けたものである。
【００３８】
より詳細に説明すると、前記装飾部材７２は前後において筒状本体８１と後部の蓋部８２とに分割可能に形成されており、筒状本体８１と蓋部８２のそれぞれに前記山型の軸受凹部７５が形成されている。
前記筒状本体８１は、図２９および図３０に示すように、筒状本体８１には前方端部に宝石類（図示せず）を係止するための爪８１ａが設けられており、前記筒状本体８１前部の凹所８１ｂにダイヤ等の宝石をはめ込んで前記爪８１ａを宝石側に倒すことにより、前記宝石を確実に保持することができるようになっている。
【００３９】
前記凹所８１ｂの反対側の前記筒状本体８１内部には、その上部が内向きになるよう傾斜して内壁８３が形成され、その内壁８３から山型の軸受凹部７５が後方に突き出すように形成されており、前記一対のピボット状の支軸７３の片方が係合される。
図において８１ｃは前記凹所８１ｂのほぼ中央から前記内壁８３に向けて設けた貫通孔、８１ｄは前記筒状本体８１の後端上部に設けた係合突起である。
【００４０】
次に前記蓋部８２は、図３１および図３２に示すように、その前面から山型の軸受凹部７５が前方に突き出すように形成されており、前記一対のピボット状の支軸７３のもう片方が係合される。
図において８２ａは、前記筒状本体８１の係合突起８１ｄをはめ込む係合凹部、８２ｂは前記蓋部８２の下部に形成した円弧状の揺動孔である。
【００４１】
図３３ないし図３５は、それぞれ前記第４実施例の前記揺動アーム部材７２を前記装飾部材７４を構成する筒状本体８１と蓋部８２とに組立てる状態を示すものである。
すなわち、前記揺動アーム部材７２を前記装飾部材７４の前記蓋部８２の下部に形成した円弧状の揺動孔８２ｂから後方に突出させた上、前記筒状本体８１と蓋部８２との間に前記揺動アーム部材７２を介在させた状態で前記筒状本体８１と蓋部８２とを結合するのである。その際、前記揺動アーム部材７２の延長部分は、前記蓋部８２の下部に形成した円弧状の揺動孔８２ｂから後方に突出した状態で保持されている。その上で前記揺動アーム部材７２の延長部分は前述のような装身具用枠体に連結され、装身具を構成するのである。
【００４２】
このような組立構造の装身具７１は、図３６（ａ）のように前記揺動アーム部材７２の一対のピボット状の支軸７３，７３が、前記装飾部材７４を構成する筒状本体８１と蓋部８２に設けた山型の軸受凹部７５の頂部に係合し、図３６（ｂ）のように装飾部材７４の動きが左右の動きが中心となるため、前向きに取り付けた宝石等が前方からよくきらめいて見え、かつ均一な品質の装身具７１を提供することができるのである。
【００４３】
図３７は、揺動アーム部材９１におけるやや外傾させて形成された前記一対のピボット状の支軸９２，９２を示すものであり、該揺動アーム部材９１はプレスによる打抜き等の手段で量産される。
得た揺動アーム部材９１は、図３８（ａ）のようにその中央から上方に延長させるように延長部分９３ａを溶接等の手段で固定することができる。
また揺動アーム部材９１は、図３８（ｂ）のように水平に延長させるように延長部分９３ｂを溶接等の手段で固定することができる。
このようにすれば、揺動アーム部材９１を大量に量産することができ、大幅なコストダウンを図ることができる。
【産業上の利用可能性】
【００４４】
なお、本発明に係る装身具は特定の製品に限定されるものではなく、ブレスレットやブローチ、イヤリングその他の装身具に適用できることは勿論である。
なお、実施例では宝石としてダイヤモンドを示したが、ダイヤモンドに限定されないことは勿論である。
また、前述した本発明の装身具を、装身具用枠体内に複数取り付けることもできる。
【符号の説明】
【００４５】
１１  装身具
１２  揺動アーム部材
１３，１３  支軸
１４  装飾部材
１５  軸受凹部
２１  筒状本体
２１ａ  爪
２１ｂ  凹所
２１ｃ  貫通孔
２１ｄ  係合凹部
２１ｅ  切欠き
２２  蓋部
２２ａ  係合突起
２２ｂ  係合部
３１  装身具
３２  揺動アーム部材
３３，３３  支軸
３４  装飾部材
３５  軸受凹部
４１  筒状本体
４１ａ  爪
４１ｂ  凹所
４１ｃ  貫通孔
４１ｄ  係合凹部
４２  蓋部
４２ａ  係合突起
４２ｂ  揺動孔
４３  装身具用枠体
４３ａ  奥壁
４４  宝石類
４５  丸環
５１  装身具
５２  揺動アーム部材
５３，５３  支軸
５４  装飾部材
５５  軸受凹部
６１  筒状本体
６１ａ  爪
６１ｂ  凹所
６１ｃ  貫通孔
６１ｄ  係合突起
６１ｅ  切欠き
６２  蓋部
６２ａ  係合凹部
６２ｂ  揺動孔
６２ｃ  係合突部
７１  装身具
７２  揺動アーム部材
７３，７３  支軸
７４  装飾部材
７５  軸受凹部
８１  筒状本体
８１ａ  爪
８１ｂ  凹所
８１ｃ  貫通孔
８１ｄ  係合突起
８２  蓋部
８２ａ  係合凹部
８２ｂ  揺動孔
８３  内壁
９１  揺動アーム部材
９２，９２  支軸
９３ａ  延長部分
９３ｂ  延長部分
【図１】
2020062230.tif 000003
【図２】
2020062230.tif 000004
【図３】
2020062230.tif 000005
【図４】
2020062230.tif 000006
【図５】
2020062230.tif 000007
【図６】
2020062230.tif 000008
【図７】
2020062230.tif 000009
【図８】
2020062230.tif 000010
【図９】
2020062230.tif 000011
【図１０】
2020062230.tif 000012
【図１１】
2020062230.tif 000013
【図１２】
2020062230.tif 000014
【図１３】
2020062230.tif 000015
【図１４】
2020062230.tif 000016
【図１５】
2020062230.tif 000017
【図１６】
2020062230.tif 000018
【図１７】
2020062230.tif 000019
【図１８】
2020062230.tif 000020
【図１９】
2020062230.tif 000021
【図２０】
2020062230.tif 000022
【図２１】
2020062230.tif 000023
【図２２】
2020062230.tif 000024
【図２３】
2020062230.tif 000025
【図２４】
2020062230.tif 000026
【図２５】
2020062230.tif 000027
【図２６】
2020062230.tif 000028
【図２７】
2020062230.tif 000029
【図２８】
2020062230.tif 000030
【図２９】
2020062230.tif 000031
【図３０】
2020062230.tif 000032
【図３１】
2020062230.tif 000033
【図３２】
2020062230.tif 000034
【図３３】
2020062230.tif 000035
【図３４】
2020062230.tif 000036
【図３５】
2020062230.tif 000037
【図３６】
2020062230.tif 000038
【図３７】
2020062230.tif 000039
【図３８】
2020062230.tif 000040
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
装飾部材の正面を基準として所定の間隔で前後に一対のピボット状の支軸が形成された揺動アーム部材と、当該揺動アーム部材の一対のピボット状の支軸間に差渡されて揺動可能に保持された装飾部材とを備え、
前記装飾部材は、筒状内部の上部に前記一対のピボット状の支軸に対応する山型の軸受凹部を形成されており、
前記装飾部材に形成された山型の軸受凹部に、前記揺動アーム部材のピボット状の支軸が係合することにより、装飾部材を揺動アーム部材に揺動自在に取り付けたことを特徴とする装身具。
【請求項２】
前記装飾部材は、前後において筒状本体と後部の蓋部とに分割可能に形成されており、筒状本体と蓋部のそれぞれに山型の軸受凹部が形成されていることを特徴とする請求項１に記載の装身具。
【請求項３】
前記一対のピボット状の支軸が形成された揺動アーム部材は、該揺動アーム部材を上方に延長させて前記装飾部材の上面から突出し、適宜装身具用枠体に配設されていることを特徴とする請求項１または２に記載の装身具。
【請求項４】
前記一対のピボット状の支軸が形成された揺動アーム部材は、該揺動アーム部材を後方に延長させて前記装飾部材の後部から突出し、適宜装身具用枠体に配設されていることを特徴とする請求項１または２に記載の装身具。
【請求項５】
前記前後において筒状本体と後部の蓋部とに分割可能に形成された装飾部材は、筒状本体と蓋部のそれぞれに互いに係合する凹部と凸部とが形成されており、この凹部と凸部とを係合させて正確に位置決めすることを可能としたことを特徴とする請求項１ないし４のいずれかに記載の装身具。
【請求項６】
前記装飾部材の筒状本体に形成された山型の軸受凹部が、その内壁上部が内向きになるよう傾斜して形成されていることを特徴とする請求項１ないし５のいずれかに記載の装身具。
【手続補正２】
【補正対象書類名】明細書
【補正対象項目名】全文
【補正方法】変更
【補正の内容】
【発明の詳細な説明】
【技術分野】
【０００１】
本発明は、宝石を揺動可能としたペンダントやブローチ、指輪、ブレスレット等の装身具に関する。
【背景技術】
【０００２】
近年、着用時にダイヤモンド等の宝石をそのテーブル面が正面を向いた状態で、着用者の動きに応じて宝石が揺動するように支持する構造の身飾品が種々提案されている。
そのような先行技術としては、特開２０１３−２２６４６２号公報（特許文献１参照）のような身飾品が知られており、該身飾品における枠組部材と装飾物とを係合する係合部は、前記装飾物の中心に対して上下方向と直交する左右方向の左側に設けられ第１のリング部と、前記装飾物の中心に対して右側に設けられ第２のリング部と、前記枠組部材の前記第１のリング部の側に設けられ、前記第１のリング部とつながれた第３のリング部と、前記枠組部材の前記第２のリング部の側に設けられ、前記第２のリング部とつながれた第４のリング部とを有する。
しかしながら、前記身飾品においては連結した一対のリングどうしで装飾物を保持しているために、動きにぎこちなさがあったり、均一な品質の身飾品を得にくいという問題があった。
【０００３】
そこで本発明者は先に、特許第５９７６２４８号公報（特許文献２参照）において、所定の間隔で一対の軸受凹部を配置した装身具用枠体と、当該装身具用枠体に一体的に保持された装飾部材とを備え、他方、延長端部に上向きにピボット状の支軸が形成された揺動アーム部を両側に突設した吊下げ部材を用意し、前記装身具用枠体に配置された軸受凹部に、前記揺動アーム部のピボット状の支軸が係合することにより、装飾部材を備えた装身具用枠体を吊下げ部材に揺動自在に取り付けたことを特徴とする装身具を提供した。
【先行技術文献】
【特許文献】
【０００４】
【特許文献１】特開２０１３−２２６４６２号公報
【特許文献２】特許第５９７６２４８号公報
【発明の概要】
【発明が解決しようとする課題】
【０００５】
しかしながら、前記装身具においては単一のピボット状の支軸で装飾物を保持しているために、前後に動くため、充分なきらめきを得にくく、また均一な品質の身飾品を得にくいという問題があった。
本発明は、上記不具合を解消すべく発明されたものであり、装飾部材の動きが左右の動きが中心となって、前向きに取り付けた宝石等が前方からよくきらめいて見え、かつ均一な品質の装身具を得ようとするものである。
【課題を解決するための手段】
【０００６】
すなわち本発明の装身具は、装飾部材の正面を基準として所定の間隔で前後に一対のピボット状の支軸が形成された揺動アーム部材と、当該揺動アーム部材の一対のピボット状の支軸間に差渡されて揺動可能に保持された装飾部材とを備え、前記装飾部材は、筒状内部の上部に前記一対のピボット状の支軸に対応する山型の軸受凹部を形成されており、前記装飾部材に形成された山型の軸受凹部に、前記揺動アーム部材のピボット状の支軸が係合することにより、装飾部材を揺動アーム部材に揺動自在に取り付けたことを特徴とするものである。
【０００７】
本発明の装身具において、前記装飾部材は、前後において筒状本体と後部の蓋部とに分割可能に形成されており、筒状本体と蓋部のそれぞれに山型の軸受凹部が形成されていることをも特徴とするものである。
【０００８】
本発明の装身具において、前記一対のピボット状の支軸が形成された揺動アーム部材は、該揺動アーム部材を上方に延長させて前記装飾部材の上面から突出し、適宜装身具用枠体に配設されていることをも特徴とするものである。
【０００９】
本発明の装身具において、前記一対のピボット状の支軸が形成された揺動アーム部材は、該揺動アーム部材を後方に延長させて前記装飾部材の後部から突出し、適宜装身具用枠体に配設されていることをも特徴とするものである。
【００１０】
本発明の装身具において、前記前後において筒状本体と後部の蓋部とに分割可能に形成された装飾部材は、筒状本体と蓋部のそれぞれに互いに係合する凹部と凸部とが形成されており、この凹部と凸部とを係合させて正確に位置決めすることを可能としたことをも特徴とするものである。
【００１１】
本発明の装身具において、前記装飾部材の筒状本体に形成された山型の軸受凹部が、その内壁上部が内向きになるよう傾斜して形成されていることをも特徴とするものである。
【発明の効果】
【００１２】
以上説明したように本発明に係る装飾部材を揺動可能に取り付けてなる装身具は、所定の間隔で前後に一対のピボット状の支軸が形成された揺動アーム部材と、当該揺動アーム部材の一対のピボット状の支軸間に差渡されて揺動可能に保持された装飾部材とを備え、前記装飾部材は、筒状内部の上部に前記一対のピボット状の支軸に対応する山型の軸受凹部を形成されており、前記装飾部材に形成された山型の軸受凹部に、前記揺動アーム部材のピボット状の支軸が係合することにより、装飾部材を揺動アーム部材に揺動自在に取り付けたものである。
そうすることによって、装飾部材の動きが装飾部材の正面を基準として左右の動きが中心となって、前向きに取り付けた宝石等が前方からよくきらめいて見え、かつ均一な品質の装身具を提供することができるようになった。
【００１３】
また、本発明に係る装飾部材を揺動可能に取り付けてなる装身具は、装飾部材の正面を基準として所定の間隔で前後に一対のピボッド上の支軸が形成された揺動アーム部材を用いることによって前記装飾部材の動きが正面から見て左右の動きが中心となるので、揺動中には装飾部材の正面部分のみが揺動しているようにみえることになる。すなわち、例えば装飾部材の正面部分にダイヤモンド等の宝石を配した場合は、当該宝石を保持した装飾部材が揺動したとしても、装飾部材の正面部分に保持された宝石のみが揺動してみえるようにすることができるのである。
さらに、本発明に係る装飾部材を揺動可能に取り付けてなる装身具は、所定の間隔で前後に一対のピボッド上の支軸が形成された揺動アーム部材を後方に延長させて前記装飾部材の後方から突出し、適宜装身具用枠体に配設させることによって、前記揺動アーム部材を装身具の正面に表れないようにしたので、あたかも装飾部材が中空に浮遊しているかのように演出することができるようになったのである。
【図面の簡単な説明】
【００１４】
【図１】本発明の装身具の第１実施例を示すものであり、（ａ）は装飾部材を構成する筒状本体の概略側面図、（ｂ）はその概略断面図、（ｃ）はその概略背面図、（ｄ）はその概略平面図である。
【図２】（ａ）はその概略斜視図、（ｂ）はその概略透視斜視図、（ｃ）はその概略斜視断面図である。
【図３】（ａ）は装飾部材を構成する蓋部の概略側面図、（ｂ）はその概略断面図、（ｃ）はその概略背面図、（ｄ）はその概略平面図である。
【図４】（ａ）はその概略斜視図、（ｂ）はその概略透視斜視図、（ｃ）はその概略斜視断面図である。
【図５】（ａ）は上方に延長した揺動アーム部材の概略側面図、（ｂ）はその概略断面図、（ｃ）はその概略平面図、（ｄ）はその概略側面図である。
【図６】（ａ）はその概略斜視図、（ｂ）はその概略斜視断面図である。
【図７】（ａ）は前記第１実施例の組立前の段階の概略断面図、（ｂ）は組立てた状態の概略断面図である。
【図８】（ａ）は前記第１実施例の組立前の段階の概略斜視図、（ｂ）は組立てた状態の概略斜視図である。
【図９】（ａ）は前記第１実施例の組立前の段階の概略斜視断面図、（ｂ）は組立てた状態の概略斜視断面図である。
【図１０】（ａ）は前記第１実施例の組立てた状態の概略透視図、（ｂ）は揺動している状態の概略透視図である。
【図１１】本発明の装身具の第２実施例を示すものであり、（ａ）は装飾部材を構成する筒状本体の概略側面図、（ｂ）はその概略断面図、（ｃ）はその概略背面図、（ｄ）はその概略平面図である。
【図１２】（ａ）はその概略斜視図、（ｂ）はその概略透視斜視図、（ｃ）はその概略斜視断面図である。
【図１３】（ａ）は装飾部材を構成する蓋部の概略側面図、（ｂ）はその概略断面図、（ｃ）はその概略背面図、（ｄ）はその概略平面図である。
【図１４】（ａ）はその概略斜視図、（ｂ）はその概略斜視断面図である。
【図１５】（ａ）は水平方向に延長した揺動アーム部材の概略側面図、（ｂ）はその概略断面図、（ｃ）はその概略平面図、（ｄ）はその概略側面図である。
【図１６】（ａ）はその概略斜視図、（ｂ）はその概略斜視断面図である。
【図１７】（ａ）は前記第２実施例の組立前の段階の概略断面図、（ｂ）は組立てた状態の概略断面図である。
【図１８】（ａ）は前記第２実施例の組立前の段階の概略斜視図、（ｂ）は組立てた状態の概略斜視図である。
【図１９】（ａ）は前記第２実施例の組立前の段階の概略斜視断面図、（ｂ）は組立てた状態の概略斜視断面図である。
【図２０】（ａ）は前記第２実施例の組立てた状態の概略透視図、（ｂ）は揺動している状態の概略透視図である。
【図２１】前記揺動アーム部材をペンダント等を構成する装身具用枠体に取り付けた状態を示す概略断面図である。
【図２２】前記揺動アーム部材をピアス等に連結するための丸環に取り付けた状態を示す概略断面図である。
【図２３】本発明の装身具の第３実施例を示すものであり、（ａ）は装飾部材を構成する筒状本体の概略側面図、（ｂ）はその概略断面図、（ｃ）はその概略背面図、（ｄ）はその概略平面図である。
【図２４】（ａ）はその概略斜視図、（ｂ）はその概略透視斜視図、（ｃ）はその概略斜視断面図である。
【図２５】（ａ）は装飾部材を構成する蓋部の概略側面図、（ｂ）はその概略断面図、（ｃ）はその概略背面図、（ｄ）はその概略平面図である。
【図２６】（ａ）はその概略斜視図、（ｂ）はその概略斜視断面図である。
【図２７】（ａ）は前記第３実施例において第１実施例の揺動アーム部材を適用した組立前の段階の概略断面図、（ｂ）は組立てた状態の概略断面図である。
【図２８】（ａ）は前記第３実施例において第２実施例の揺動アーム部材を適用した組立前の段階の概略断面図、（ｂ）は組立てた状態の概略断面図である。
【図２９】本発明の装身具の第４実施例を示すものであり、（ａ）は装飾部材を構成する筒状本体の概略側面図、（ｂ）はその概略断面図、（ｃ）はその概略背面図、（ｄ）はその概略平面図である。
【図３０】（ａ）はその概略斜視図、（ｂ）はその概略透視斜視図、（ｃ）はその概略斜視断面図である。
【図３１】（ａ）は装飾部材を構成する蓋部の概略側面図、（ｂ）はその概略断面図、（ｃ）はその概略背面図、（ｄ）はその概略平面図である。
【図３２】（ａ）はその概略斜視図、（ｂ）はその概略斜視断面図である。
【図３３】（ａ）は前記水平方向に延長した揺動アーム部材を適用した組立前の段階の概略断面図、（ｂ）は組立てた状態の概略断面図である。
【図３４】（ａ）は前記第４実施例の組立前の段階の概略斜視図、（ｂ）は組立てた状態の概略斜視図である。
【図３５】（ａ）は前記第４実施例の組立前の段階の概略斜視断面図、（ｂ）は組立てた状態の概略斜視断面図である。
【図３６】（ａ）は前記第４実施例の組立てた状態の概略透視図、（ｂ）は揺動している状態の概略透視図である。
【図３７】（ａ）は前記揺動アーム部材を構成する一対のピボット状の支軸の概略側面図、（ｂ）はその概略正面図、（ｃ）はその概略平面図、（ｄ）はその概略斜視図である。
【図３８】（ａ）は前記一対のピボット状の支軸に上方に向かう揺動アーム部材を取り付けた状態の概略側面図、（ｂ）は前記一対のピボット状の支軸に水平に伸びる揺動アーム部材を取り付けた状態の概略側面図である。
【発明を実施するための形態】
【００１５】
以下、本発明に係る装身具の実施の形態を図面に基いて詳細に説明する。
図１ないし図１０に示すように、第１実施例の装身具１１は、装飾部材１４の正面を基準として所定の間隔で前後に一対のピボット状の支軸１３，１３が形成された揺動アーム部材１２と、当該揺動アーム部材１２の一対のピボット状の支軸１３，１３間に差渡されて揺動可能に保持された装飾部材１４とを備え、前記装飾部材１４は、筒状内部の上部に前記一対のピボット状の支軸１３，１３に対応する山型の軸受凹部１５を形成されており、前記装飾部材１４に形成された山型の軸受凹部１５に、前記揺動アーム部材１２のピボット状の支軸１３，１３が係合することにより、装飾部材１４を揺動アーム部材１２に揺動自在に取り付けたものである。
【００１６】
より詳細に説明すると、前記装飾部材１２は前後において筒状本体２１と後部の蓋部２２とに分割可能に形成されており、筒状本体２１と蓋部２２のそれぞれに前記山型の軸受凹部１５が形成されている。
図１および図２に示すように、前記筒状本体２１には前方端部に宝石類（図示せず）を係止するための爪２１ａが設けられており、前記筒状本体２１前部の凹所２１ｂにダイヤ等の宝石をはめ込んで前記爪２１ａを宝石側に倒すことにより、前記宝石を確実に保持することができるようになっている。
【００１７】
前記凹所２１ｂの反対側の前記筒状本体２１内部には、山型の軸受凹部１５が後方に突き出すように形成されており、前記一対のピボット状の支軸１３の片方が係合される。なお、前記山型の軸受凹部１５の頂点部分は鋭角でなく、Ｒ状にしておくことが望ましい。
図において２１ｃは前記凹所２１ｂのほぼ中央に設けた貫通孔、２１ｄは前記蓋部２２に設けた後述する係合突起２２ａをはめ込むための係合凹部、２１ｅは前記筒状本体２１の後端上部に設けた切欠きである。
【００１８】
次に前記蓋部２２は、図３および図４に示すように、その前面から山型の軸受凹部１５が前方に突き出すように形成されており、前記一対のピボット状の支軸１３のもう片方が係合される。
図において２２ａは、前記筒状本体２１の係合凹部２１ｄにはめ込む係合突起、２２ｂは前記筒状本体２１の後端上部に設けた切欠き２１ｅにはめ込むための係合部である。
【００１９】
図５および図６は、前記一対のピボット状の支軸１３，１３がやや外傾させて形成された揺動アーム部材１２を示すものであり、該揺動アーム部材１２を上方に延長させて前記装飾部材１４の前記筒状本体２１の後端上部に設けた切欠き２１ｅから上方に突出させてある。その上で該揺動アーム部材１２は適宜装身具用枠体に配設されて使用される。このような装身具用枠体の例としては、ブローチやペンダント、指輪、イヤリング等に使用される装身具用枠体が挙げられる。
【００２０】
図７ないし図９は、それぞれ前記第１実施例の前記揺動アーム部材１２を前記装飾部材１４を構成する筒状本体２１と蓋部２２とに組立てる状態を示すものである。
すなわち、前記筒状本体２１と蓋部２２との間に前記揺動アーム部材１２を介在させた状態で前記筒状本体２１と蓋部２２とを結合するのである。その際、前記揺動アーム部材１２の延長部分は、前記筒状本体２１の後端上部に設けた切欠き２１ｅから上方に突出した状態で保持されている。その上で前記揺動アーム部材１２の延長部分は前述のような装身具用枠体に連結され、装身具を構成するのである。
【００２１】
このような組立構造の装身具１１は、図１０（ａ）のように前記揺動アーム部材１２の一対のピボット状の支軸１３，１３が、前記装飾部材１４を構成する筒状本体２１と蓋部２２に設けた山型の軸受凹部１５の頂部に係合し、図１０（ｂ）のように装飾部材１４の動きが左右の動きが中心となるため、前向きに取り付けた宝石等が前方からよくきらめいて見え、かつ均一な品質の装身具１１を提供することができるのである。
【００２２】
図１１ないし図２２に示すように、第２実施例の装身具３１は、装飾部材３４の正面を基準として所定の間隔で前後に一対のピボット状の支軸３３，３３が形成された揺動アーム部材３２と、当該揺動アーム部材３２の一対のピボット状の支軸３３，３３間に差渡されて揺動可能に保持された装飾部材３４とを備え、前記装飾部材３４は、筒状内部の上部に前記一対のピボット状の支軸３３，３３に対応する山型の軸受凹部３５を形成されており、前記装飾部材３４に形成された山型の軸受凹部３５に、前記揺動アーム部材３２のピボット状の支軸３３，３３が係合することにより、装飾部材３４を揺動アーム部材３２に揺動自在に取り付けたものである。
【００２３】
より詳細に説明すると、前記装飾部材３４は前後において筒状本体４１と後部の蓋部４２とに分割可能に形成されており、筒状本体４１と蓋部４２のそれぞれに前記山型の軸受凹部３５が形成されている。
図１１および図１２に示すように、前記筒状本体４１には前方端部に宝石類（図示せず）を係止するための爪４１ａが設けられており、前記筒状本体４１前部の凹所４１ｂにダイヤ等の宝石をはめ込んで前記爪４１ａを宝石側に倒すことにより、前記宝石を確実に保持することができるようになっている。
【００２４】
前記凹所４１ｂの反対側の前記筒状本体４１内部には、山型の軸受凹部３５が後方に突き出すように形成されており、前記一対のピボット状の支軸３３の片方が係合される。
図において４１ｃは前記凹所４１ｂのほぼ中央に設けた貫通孔、４１ｄは前記蓋部４２に設けた後述する係合突起４２ａをはめ込むための係合凹部、４１ｅは前記筒状本体４１の後端上部に設けた切欠きである。
【００２５】
次に前記蓋部４２は、図１３および図１４に示すように、その前面から山型の軸受凹部３５が前方に突き出すように形成されており、前記一対のピボット状の支軸３３のもう片方が係合される。
図において４２ａは、前記筒状本体４１の係合凹部４１ｄにはめ込む係合突起、４２ｂは前記蓋部４２の下部に形成した円弧状の揺動孔である。
【００２６】
図１５および図１６は、前記一対のピボット状の支軸３３，３３がやや外傾させて形成された揺動アーム部材３２を示すものであり、該揺動アーム部材３２を水平に延長させて前記装飾部材３４の前記蓋部４２の下部に形成した円弧状の揺動孔４２ｂから側方に突出させてある。その上で該揺動アーム部材１２は適宜装身具用枠体に配設されて使用される。このような装身具用枠体の例としては、ブローチやペンダント、指輪、イヤリング等に使用される装身具用枠体が挙げられる。
【００２７】
図１７ないし図１９は、それぞれ前記第２実施例の前記揺動アーム部材３２を前記装飾部材３４を構成する筒状本体４１と蓋部４２とに組立てる状態を示すものである。
すなわち、前記揺動アーム部材３２を前記装飾部材３４の前記蓋部４２の下部に形成した円弧状の揺動孔４２ｂから側方に突出させた上、前記筒状本体４１と蓋部４２との間に前記揺動アーム部材３２を介在させた状態で前記筒状本体４１と蓋部４２とを結合するのである。その際、前記揺動アーム部材３２の延長部分は、前記蓋部４２の下部に形成した円弧状の揺動孔４２ｂから側方に突出した状態で保持されている。その上で前記揺動アーム部材３２の延長部分は前述のような装身具用枠体に連結され、装身具を構成するのである。
【００２８】
このような組立構造の装身具３１は、図２０（ａ）のように前記揺動アーム部材３２の一対のピボット状の支軸３３，３３が、前記装飾部材３４を構成する筒状本体４１と蓋部４２に設けた山型の軸受凹部３５の頂部に係合し、図２０（ｂ）のように装飾部材３４の動きが左右の動きが中心となるため、前向きに取り付けた宝石等が前方からよくきらめいて見え、かつ均一な品質の装身具３１を提供することができるのである。
【００２９】
図２１はこの第２実施例の装身具３１を上部に丸環４５を取り付けた筒状の装身具用枠体４３に取り付けたものであり、前記蓋部４２の下部に形成した円弧状の揺動孔４２ｂから側方に突出させた前記揺動アーム部材３２の延長部分を前記装身具用枠体４３の奥壁４３ａに取り付けたものである。
なお、この奥壁４３ａは合成樹脂や強化ガラス等からなる色付きの透明カラープレートとすることができ、宝石等が前方からよくきらめいて見えるようになるのである。もちろん、金属板を使用しても良く、前記揺動アーム部材３２の延長部分と奥壁４３ａとの接合には、ロー付けやカシメ、レーザ溶接による接合等を使用することができる。
また、前記筒状の装身具用枠体４３の前側の端部には適宜小粒の宝石類４４が取り付けておくことができる。
【００３０】
図２２はこの第２実施例の装身具３１を、前記蓋部４２の下部に形成した円弧状の揺動孔４２ｂから側方に突出させた前記揺動アーム部材３２の延長部分をコ字状に屈曲させ、上端に丸環４５を取り付けたものである。
このようにすれば、第２実施例の装身具３１をブローチやイヤリング等の装身用下げ飾りとして極めて有用である。
【００３１】
図２３ないし図２８に示すように、第３実施例の装身具５１は、装飾部材５４の正面を基準として所定の間隔で前後に一対のピボット状の支軸５３，５３が形成された揺動アーム部材５２と、当該揺動アーム部材５２の一対のピボット状の支軸５３，５３間に差渡されて揺動可能に保持された装飾部材５４とを備え、前記装飾部材５４は、筒状内部の上部に前記一対のピボット状の支軸５３，５３に対応する山型の軸受凹部５５を形成されており、前記装飾部材５４に形成された山型の軸受凹部５５に、前記揺動アーム部材５２のピボット状の支軸５３，５３が係合することにより、装飾部材５４を揺動アーム部材５２に揺動自在に取り付けたものである。
【００３２】
より詳細に説明すると、前記装飾部材５４は前後において筒状本体６１と後部の蓋部６２とに分割可能に形成されており、筒状本体６１と蓋部６２のそれぞれに前記山型の軸受凹部５５が形成されている。
図２３および図２４に示すように、前記筒状本体６１には前方端部に宝石類（図示せず）を係止するための爪６１ａが設けられており、前記筒状本体６１前部の凹所６１ｂにダイヤ等の宝石をはめ込んで前記爪６１ａを宝石側に倒すことにより、前記宝石を確実に保持することができるようになっている。
【００３３】
前記凹所６１ｂの反対側の前記筒状本体６１内部には、山型の軸受凹部５５が後方に突き出すように形成されており、前記一対のピボット状の支軸５３の片方が係合される。
図において６１ｃは前記凹所６１ｂのほぼ中央に設けた貫通孔、６１ｄは係合突起で、前記蓋部６２の下部に設けた後述する係合凹部６２ａをはめ込むためのものである。
また６１ｅは前記蓋部６２に設けた係合突起６２ｂをはめ込むための切欠きで、前記揺動アーム部材５２の上方への延長部分を挿通させることができる。
【００３４】
次に前記蓋部６２は、図２５および図２６に示すように、その前面から山型の軸受凹部５５が前方に突き出すように形成されており、前記一対のピボット状の支軸５３のもう片方が係合される。
図において６２ａは、前記筒状本体６１の係合突起６１ｄにはめ込む係合凹部、６２ｂは前記蓋部６２の下部に形成した円弧状の揺動孔である。
【００３５】
図２７、図２８は、それぞれ前記第３実施例の前記揺動アーム部材５２を前記装飾部材５４を構成する筒状本体６１と蓋部６２とに組立てる状態を示すものである。
すなわち図２７においては、図２７（ａ）のように前記筒状本体６１と蓋部６２との間に前記揺動アーム部材５２を介在させた状態で、図２７（ｂ）のように前記筒状本体６１と蓋部６２とを結合するのである。その際、前記揺動アーム部材５２の延長部分は、前記筒状本体６１の後端上部に設けた切欠き６１ｅから上方に突出した状態で保持されている。その上で前記揺動アーム部材５２の延長部分は前述のような装身具用枠体に連結され、装身具を構成するのである。
【００３６】
他方、図２８においては、図２８（ａ）のように前記揺動アーム部材５２を前記装飾部材５４の前記蓋部６２の下部に形成した円弧状の揺動孔６２ｂから側方に突出させた上、前記筒状本体６１と蓋部６２との間に前記揺動アーム部材５２を介在させた状態で、図２８（ｂ）のように前記筒状本体６１と蓋部６２とを結合するのである。その際、前記揺動アーム部材５２の延長部分は、前記蓋部６２の下部に形成した円弧状の揺動孔６２ｂから側方に突出した状態で保持されている。その上で前記揺動アーム部材５２の延長部分は前述のような装身具用枠体に連結され、装身具を構成するのである。
以上のように、第３実施例の装身具５１においては、前記揺動アーム部材５２の延長部分が上方あるいは側方のいずれに延長される場合にも対応することができるのである。
【００３７】
図２９ないし図３０に示すように、第４実施例の装身具７１は、装飾部材７４の正面を基準として所定の間隔で前後に一対のピボット状の支軸７３，７３が形成された揺動アーム部材７２と、当該揺動アーム部材７２の一対のピボット状の支軸７３，７３間に差渡されて揺動可能に保持された装飾部材７４とを備え、前記装飾部材７４は、筒状内部の上部に前記一対のピボット状の支軸７３，７３に対応する山型の軸受凹部７５を形成されており、前記装飾部材７４に形成された山型の軸受凹部７５に、前記揺動アーム部材７２のピボット状の支軸７３，７３が係合することにより、装飾部材７４を揺動アーム部材７２に揺動自在に取り付けたものである。
【００３８】
より詳細に説明すると、前記装飾部材７２は前後において筒状本体８１と後部の蓋部８２とに分割可能に形成されており、筒状本体８１と蓋部８２のそれぞれに前記山型の軸受凹部７５が形成されている。
前記筒状本体８１は、図２９および図３０に示すように、筒状本体８１には前方端部に宝石類（図示せず）を係止するための爪８１ａが設けられており、前記筒状本体８１前部の凹所８１ｂにダイヤ等の宝石をはめ込んで前記爪８１ａを宝石側に倒すことにより、前記宝石を確実に保持することができるようになっている。
【００３９】
前記凹所８１ｂの反対側の前記筒状本体８１内部には、その上部が内向きになるよう傾斜して内壁８３が形成され、その内壁８３から山型の軸受凹部７５が後方に突き出すように形成されており、前記一対のピボット状の支軸７３の片方が係合される。
図において８１ｃは前記凹所８１ｂのほぼ中央から前記内壁８３に向けて設けた貫通孔、８１ｄは前記筒状本体８１の後端上部に設けた係合突起である。
【００４０】
次に前記蓋部８２は、図３１および図３２に示すように、その前面から山型の軸受凹部７５が前方に突き出すように形成されており、前記一対のピボット状の支軸７３のもう片方が係合される。
図において８２ａは、前記筒状本体８１の係合突起８１ｄにはめ込む係合凹部、８２ｂは前記蓋部８２の下部に形成した円弧状の揺動孔である。
【００４１】
図３３ないし図３５は、それぞれ前記第４実施例の前記揺動アーム部材７２を前記装飾部材７４を構成する筒状本体８１と蓋部８２とに組立てる状態を示すものである。
すなわち、前記揺動アーム部材７２を前記装飾部材７４の前記蓋部８２の下部に形成した円弧状の揺動孔８２ｂから側方に突出させた上、前記筒状本体８１と蓋部８２との間に前記揺動アーム部材７２を介在させた状態で前記筒状本体８１と蓋部８２とを結合するのである。その際、前記揺動アーム部材７２の延長部分は、前記蓋部８２の下部に形成した円弧状の揺動孔８２ｂから側方に突出した状態で保持されている。その上で前記揺動アーム部材７２の延長部分は前述のような装身具用枠体に連結され、装身具を構成するのである。
【００４２】
このような組立構造の装身具７１は、図３６（ａ）のように前記揺動アーム部材７２の一対のピボット状の支軸７３，７３が、前記装飾部材７４を構成する筒状本体８１と蓋部８２に設けた山型の軸受凹部７５の頂部に係合し、図３６（ｂ）のように装飾部材７４の動きが左右の動きが中心となるため、前向きに取り付けた宝石等が前方からよくきらめいて見え、かつ均一な品質の装身具７１を提供することができるのである。
【００４３】
図３７は、揺動アーム部材９１におけるやや外傾させて形成された前記一対のピボット状の支軸９２，９２を示すものであり、該揺動アーム部材９１はプレスによる打抜き等の手段で量産される。
得た揺動アーム部材９１は、図３８（ａ）のようにその中央から上方に延長させるように延長部分９３ａを溶接等の手段で固定することができる。
また揺動アーム部材９１は、図３８（ｂ）のように水平に延長させるように延長部分９３ｂを溶接等の手段で固定することができる。
このようにすれば、揺動アーム部材９１を大量に量産することができ、大幅なコストダウンを図ることができる。
【産業上の利用可能性】
【００４４】
なお、本発明に係る装身具は特定の製品に限定されるものではなく、ブレスレットやブローチ、イヤリングその他の装身具に適用できることは勿論である。
なお、実施例では宝石としてダイヤモンドを示したが、ダイヤモンドに限定されないことは勿論である。
また、前述した本発明の装身具を、装身具用枠体内に複数取り付けることもできる。
【符号の説明】
【００４５】
１１  装身具
１２  揺動アーム部材
１３，１３  支軸
１４  装飾部材
１５  軸受凹部
２１  筒状本体
２１ａ  爪
２１ｂ  凹所
２１ｃ  貫通孔
２１ｄ  係合凹部
２１ｅ  切欠き
２２  蓋部
２２ａ  係合突起
２２ｂ  係合部
３１  装身具
３２  揺動アーム部材
３３，３３  支軸
３４  装飾部材
３５  軸受凹部
４１  筒状本体
４１ａ  爪
４１ｂ  凹所
４１ｃ  貫通孔
４２  蓋部
４２ａ  係合突起
４２ｂ  揺動孔
４３  装身具用枠体
４３ａ  奥壁
４４  宝石類
４５  丸環
５１  装身具
５２  揺動アーム部材
５３，５３  支軸
５４  装飾部材
５５  軸受凹部
６１  筒状本体
６２  蓋部
６１ａ  爪
６１ｂ  凹所
６１ｃ  貫通孔
６１ｄ  係合突起
６１ｅ  切欠き
６２  蓋部
６２ａ  係合凹部
６２ｂ  揺動孔
７１  装身具
７２  揺動アーム部材
７３，７３  支軸
７４  装飾部材
７５  軸受凹部
８１  筒状本体
８１ａ  爪
８１ｂ  凹所
８１ｃ  貫通孔
８１ｄ  係合突起
８２  蓋部
８２ａ  係合凹部
８２ｂ  揺動孔
８３  内壁
９１  揺動アーム部材
９２，９２  支軸
９３ａ  延長部分
９３ｂ  延長部分